(57)【要約】【課題】連続鋳造プロセスの実行中に、実際に発生する変動を加味して、予測される将来の注文に合わせた余材を採片できるようにする。【解決手段】特性値付与手段１０１は、鋳型５から連続的に引抜かれる鋼６の長手方向の領域毎に特性値を付与する。制御部１０２は、注文に基づいて作成された連続鋳造スケジュール８に従って連続鋳造プロセスを制御する。機内調整部１０２ａは、特性値付与部１０１で付与する特性値と、注文が要求する要求特性値とに基づいて、連続鋳造プロセスを調整する。余材採片用調整部１０２ｂは、余材が発生するか否かを判定し、余材が発生すると判定した場合、記憶装置１０５に記憶するスラブの単重に合う余材を採片するように連続鋳造プロセスを調整する。記憶装置１０５に記憶するスラブの単重は、予測装置１０４により、将来の所定の期間の注文個数を予測することにより得られたものである。【選択図】図１
2020131197.tif 000002
【特許請求の範囲】
【請求項１】
溶融金属を鋳型で冷却凝固させ、連続的に引抜いて切断することにより鋳造片を得る連続鋳造プロセスを制御する制御装置であって、
将来の所定の期間の注文個数を予測することにより得られた余材情報を記憶する記憶手段と、
注文に基づいて作成された連続鋳造スケジュールに従って制御される連続鋳造プロセスの実行中に、余材が発生すると判定された場合、前記記憶手段に記憶する前記余材情報に合う余材を採片するように前記連続鋳造プロセスを調整する余材採片用調整手段とを備えたことを特徴とする連続鋳造プロセスの制御装置。
【請求項２】
前記鋳型から連続的に引抜かれる金属の長手方向の領域毎に特性値を付与する特性値付与手段と、
前記連続鋳造プロセスの実行中に、前記特性値付与手段で付与する前記特性値と、注文が要求する要求特性値とに基づいて、前記連続鋳造プロセスを調整する機内調整手段とを備えたことを特徴とする請求項１に記載の連続鋳造プロセスの制御装置。
【請求項３】
前記機内調整手段は、前記連続鋳造スケジュールに含まれる切断長さを調整する、前記連続鋳造スケジュールに含まれる切断順を入れ替える、及び前記連続鋳造スケジュールに組み込まれていない注文を充当することのうち少なくともいずれか一つを行うことにより、前記連続鋳造プロセスを調整することを特徴とする請求項２に記載の連続鋳造プロセスの制御装置。
【請求項４】
前記余材採片用調整手段は、前記機内調整手段による前記連続鋳造プロセスの調整によっても前記特性値が前記要求特性値を満たさないとき、余材が発生すると判定することを特徴とする請求項２又は３に記載の連続鋳造プロセスの制御装置。
【請求項５】
前記特性値は、前記連続鋳造プロセスにおける事象の情報と、操業実績の情報とに基づいて定められることを特徴とする請求項２乃至４のいずれか１項に記載の連続鋳造プロセスの制御装置。
【請求項６】
前記記憶手段に記憶する前記余材情報は、少なくとも前記特性値により層別されていることを特徴とする請求項２乃至５のいずれか１項に記載の連続鋳造プロセスの制御装置。
【請求項７】
前記記憶手段は、前記余材情報として余材の重量を記憶することを特徴とする請求項１乃至６のいずれか１項に記載の連続鋳造プロセスの制御装置。
【請求項８】
前記余材採片用調整手段は、湯余り又は湯不足のとき、余材が発生すると判定することを特徴とする請求項１乃至７のいずれか１項に記載の連続鋳造プロセスの制御装置。
【請求項９】
前記記憶手段に記憶する前記余材情報は、予測手段により、注文実績に基づいて、機械学習の予測モデルを用いて、前記将来の所定の期間の注文個数を予測することにより求められたものであることを特徴とする請求項１乃至８のいずれか１項に記載の連続鋳造プロセスの制御装置。
【請求項１０】
溶融金属を鋳型で冷却凝固させ、連続的に引抜いて切断することにより鋳造片を得る連続鋳造プロセスを制御する制御方法であって、
注文に基づいて作成された連続鋳造スケジュールに従って制御される連続鋳造プロセスの実行中に、余材が発生すると判定された場合、記憶手段に記憶する余材情報に合う余材を採片するように前記連続鋳造プロセスを調整する余材採片用調整工程とを有し、
前記記憶手段に記憶する前記余材情報は、将来の所定の期間の注文個数を予測することにより得られたものであることを特徴とする連続鋳造プロセスの制御方法。
【請求項１１】
溶融金属を鋳型で冷却凝固させ、連続的に引抜いて切断することにより鋳造片を得る連続鋳造プロセスを制御するためのプログラムであって、
将来の所定の期間の注文個数を予測することにより得られた余材情報を記憶する記憶手段と、
注文に基づいて作成された連続鋳造スケジュールに従って制御される連続鋳造プロセスの実行中に、余材が発生すると判定された場合、前記記憶手段に記憶する前記余材情報に合う余材を採片するように前記連続鋳造プロセスを調整する余材採片用調整手段としてコンピュータを機能させるためのプログラム。
【発明の詳細な説明】
【技術分野】
【０００１】
本発明は、連続鋳造プロセスの制御装置、方法及びプログラムに関する。
【背景技術】
【０００２】
連続鋳造プロセスでは、顧客からの注文に基づいて作成された連続鋳造スケジュールに従って鋳造片を製造するが、その際に、注文に紐付かない余材が発生することがある。余材が発生したとき、それに見合う注文があるまで余材を積み上げておくことも考えられるが、通常は置場能力の制約等から、余材の発生から一定の期間内にある注文に当該余材を充当するのが一般的である。このとき、余材が注文よりも大きい場合は屑切断後に充当し、余材が注文よりも小さい場合は級品を落として充当することになり、収益ロスが発生する。
例えば特許文献１には、連続鋳造鋳片の切断方法に関して、１チャージ内の各切断鋳片に汎用度合に応じた優先順位を付し、その優先順位の最も高い鋳片の長さで余材を切断することが開示されている。
また、特許文献２には、余材スラブの設計方法に関して、予測によって求められたオーダー量の予測値に基づいて、生産する余材スラブの巾、長さを鋳造計画段階で事前に設計することが開示されている。
【先行技術文献】
【特許文献】
【０００３】
【特許文献１】特開平１０−２４９５０４号公報
【特許文献２】特開平１１−１３８２４６号公報
【発明の概要】
【発明が解決しようとする課題】
【０００４】
特許文献１は、顧客が最も要求する長さ、すなわち汎用的な標準品となる長さに切断し、余材の活用を図るものであるが、１チャージ内のいずれかの鋳片の長さをコピーするものに過ぎず、これにより採片される余材に見合う注文が近い将来にあるとは限らない。
また、特許文献２は、連続鋳造プロセスを実行する前段のスケジュール作成時における余材スラブの設計方法に関するものであり、連続鋳造プロセスの実行中に、実際に発生する変動を加味して余材を採片できるようにするものではない。
【０００５】
本発明は上記のような点に鑑みてなされたものであり、連続鋳造プロセスの実行中に、実際に発生する変動を加味して、予測される将来の注文に合わせた余材を採片できるようにすることを目的とする。
【課題を解決するための手段】
【０００６】
上記の課題を解決するための本発明の要旨は、以下のとおりである。
［１］  溶融金属を鋳型で冷却凝固させ、連続的に引抜いて切断することにより鋳造片を得る連続鋳造プロセスを制御する制御装置であって、
将来の所定の期間の注文個数を予測することにより得られた余材情報を記憶する記憶手段と、
注文に基づいて作成された連続鋳造スケジュールに従って制御される連続鋳造プロセスの実行中に、余材が発生すると判定された場合、前記記憶手段に記憶する前記余材情報に合う余材を採片するように前記連続鋳造プロセスを調整する余材採片用調整手段とを備えたことを特徴とする連続鋳造プロセスの制御装置。
［２］  前記鋳型から連続的に引抜かれる金属の長手方向の領域毎に特性値を付与する特性値付与手段と、
前記連続鋳造プロセスの実行中に、前記特性値付与手段で付与する前記特性値と、注文が要求する要求特性値とに基づいて、前記連続鋳造プロセスを調整する機内調整手段とを備えたことを特徴とする［１］に記載の連続鋳造プロセスの制御装置。
［３］  前記機内調整手段は、前記連続鋳造スケジュールに含まれる切断長さを調整する、前記連続鋳造スケジュールに含まれる切断順を入れ替える、及び前記連続鋳造スケジュールに組み込まれていない注文を充当することのうち少なくともいずれか一つを行うことにより、前記連続鋳造プロセスを調整することを特徴とする［２］に記載の連続鋳造プロセスの制御装置。
［４］  前記余材採片用調整手段は、前記機内調整手段による前記連続鋳造プロセスの調整によっても前記特性値が前記要求特性値を満たさないとき、余材が発生すると判定することを特徴とする［２］又は［３］に記載の連続鋳造プロセスの制御装置。
［５］  前記特性値は、前記連続鋳造プロセスにおける事象の情報と、操業実績の情報とに基づいて定められることを特徴とする［２］乃至［４］のいずれか一つに記載の連続鋳造プロセスの制御装置。
［６］  前記記憶手段に記憶する前記余材情報は、少なくとも前記特性値により層別されていることを特徴とする［２］乃至［５］のいずれか一つに記載の連続鋳造プロセスの制御装置。
［７］  前記記憶手段は、前記余材情報として余材の重量を記憶することを特徴とする［１］乃至［６］のいずれか一つに記載の連続鋳造プロセスの制御装置。
［８］  前記余材採片用調整手段は、湯余り又は湯不足のとき、余材が発生すると判定することを特徴とする［１］乃至［７］のいずれか一つに記載の連続鋳造プロセスの制御装置。
［９］  前記記憶手段に記憶する前記余材情報は、予測手段により、注文実績に基づいて、機械学習の予測モデルを用いて、前記将来の所定の期間の注文個数を予測することにより求められたものであることを特徴とする［１］乃至［８］のいずれか一つに記載の連続鋳造プロセスの制御装置。
［１０］  溶融金属を鋳型で冷却凝固させ、連続的に引抜いて切断することにより鋳造片を得る連続鋳造プロセスを制御する制御方法であって、
注文に基づいて作成された連続鋳造スケジュールに従って制御される連続鋳造プロセスの実行中に、余材が発生すると判定された場合、記憶手段に記憶する余材情報に合う余材を採片するように前記連続鋳造プロセスを調整する余材採片用調整工程とを有し、
前記記憶手段に記憶する前記余材情報は、将来の所定の期間の注文個数を予測することにより得られたものであることを特徴とする連続鋳造プロセスの制御方法。
［１１］  溶融金属を鋳型で冷却凝固させ、連続的に引抜いて切断することにより鋳造片を得る連続鋳造プロセスを制御するためのプログラムであって、
将来の所定の期間の注文個数を予測することにより得られた余材情報を記憶する記憶手段と、
注文に基づいて作成された連続鋳造スケジュールに従って制御される連続鋳造プロセスの実行中に、余材が発生すると判定された場合、前記記憶手段に記憶する前記余材情報に合う余材を採片するように前記連続鋳造プロセスを調整する余材採片用調整手段としてコンピュータを機能させるためのプログラム。
【発明の効果】
【０００７】
本発明によれば、連続鋳造プロセスの実行中に、実際に発生する変動を加味して、予測される将来の注文に合わせた余材を採片することができる。
【図面の簡単な説明】
【０００８】
【図１】実施形態に係る連続鋳造プロセスの制御装置の機能構成を示す図である。
【図２】連続鋳造設備の概略構成及び連続鋳造プロセスを説明するための図である。
【図３】スラブの単重と、予測注文個数との関係の一例を示す図である。
【図４】最適なスラブの単重に合う余材を採片するように切断位置を調整する例を説明するための図である。
【発明を実施するための形態】
【０００９】
以下、添付図面を参照して、本発明の好適な実施形態について説明する。
まず、図２（Ａ）乃至（Ｅ）を参照して、連続鋳造設備の概略構成及び連続鋳造プロセスを説明する。取鍋１内の溶鋼２は、タンディッシュ３及び浸漬ノズル４を経由して、上下に開口を有する鋳型５に注入される。この鋳型５で溶鋼２の外側が冷却凝固されて、連続的に引抜かれる。連続鋳造プロセスは、取鍋１一杯分の溶鋼を１チャージとし、複数チャージを１キャストとして行われる。鋳型５から連続的に引抜かれる鋼６は切断機７により切断されて、本実施形態では鋳造片として熱間薄板圧延向けのスラブが得られる。
以下では、スラブを圧延して得られる薄板を巻き取ったコイルを、製品コイルと呼ぶ。製品コイルの注文に基づいて、それに必要なスラブの材質や単重（一つ一つのスラブの重量）が決定される。
【００１０】
図１に、連続鋳造プロセスの制御装置１００を含むシステムの機能構成を示す。
連続鋳造プロセスの制御装置１００は、特性値付与部１０１と、制御部１０２とを備える。制御部１０２は、機内調整部１０２ａと、余材採片用調整部１０２ｂとしても機能する。また、連続鋳造プロセスの制御装置１００は、記憶装置１０３にアクセス可能である。記憶装置１０３には、予測装置１０４により、将来の所定の期間の注文個数を予測することにより得られた余材情報、本実施形態ではスラブの単重が記憶されている。
【００１１】
まず、連続鋳造プロセスの基本的な流れを説明する。
特性値付与部１０１は、鋳型５から連続的に引抜かれる鋼６の長手方向の領域毎に特性値を付与する。例えば図２（Ｃ）に示すように、鋳型５の直下において、鋳型５から連続的に引抜かれる鋼６に一定の間隔で特性値を付与する。特性値は、連続鋳造プロセスにおける事象の情報と、操業実績の情報とに基づいて定められる。例えば事象の情報は、鍋スタート、チャージ注入、タンディッシュ交換等の連続鋳造プロセスにおける事象を表す。鋳型５から連続的に引抜かれる鋼６には、キャストボトムやキャストトップと呼ばれる部位や、チャージ間で形成される異鋼種継目のように品質が不安定となる部位があることから、事象の情報に基づいて特性値を定める。また、操業実績は、例えばタンディッシュ３における溶鋼量、溶鋼温度、酸素濃度、浸漬ノズル４における浸漬深さ、開度変動量、鋳型５におけるエア流量、メニスカス流量等が挙げられる。操業実績は鋳型５から連続的に引抜かれる鋼６の品質に影響を与えるので、操業実績の情報に基づいて特性値を定める。本実施形態では、事象の情報と操業実績の情報とに基づいて、特性値をＡ（高品質），Ｂ（中品質），Ｃ（低品質）のように付与するものとするが、特性値の詳細は限定されるものではない。
【００１２】
制御部１０２は、注文に基づいて作成された連続鋳造スケジュール８に従って連続鋳造プロセスを制御する。連続鋳造スケジュール８は、製品コイルの注文に応じた切断長さ及び切断順を含み、本例では注文１、注文２、・・・の順で、各注文に紐付けられた切断長さで切断する連続鋳造スケジュールとなっている。制御部１０２は、図２（Ｂ）、（Ｃ）に示すように、鋳造を開始すると、鋳型５から連続的に引抜かれる鋼６に注文を割り付けていく。
【００１３】
また、制御部１０２の機内調整部１０２ａは、特性値付与部１０１で付与する特性値と、注文が要求する要求特性値とに基づいて、連続鋳造プロセスを調整する。例えば特性値が要求特性値を満たさない場合に、要求特性値に満たすようにする方向に連続鋳造プロセスを調整する。連続鋳造プロセスの調整の仕方として、具体的には次のようなものがある。例えば連続鋳造スケジュール８に含まれる注文の切断長さを調整する。製品コイルの長さには許容値があり、それに応じて切断長さにも許容値（ＭＩＮ値−ＭＡＸ値）が設定されており、その範囲で切断長さが可変である。また、図２（Ｄ）に示すように、連続鋳造スケジュール８に含まれる切断順を入れ替える、すなわち注文を入れ替える。また、図２（Ｄ）に示すように、連続鋳造スケジュール８に組み込まれていない注文（スケジュール外の注文９）を充当する。また、連続鋳造スケジュール８に含まれる注文を飛ばして欠番化する。
なお、機内調整部１０２ａによる連続鋳造プロセスの調整は、特性値に基づいて行われるだけでなく、例えば操業異常が発生したとき等にも行われる。
【００１４】
次に、連続鋳造プロセスの実行中に、余材が発生すると判定された場合の流れを説明する。
制御部１０２の余材採片用調整部１０２ｂは、余材が発生するか否かを判定し、余材が発生すると判定した場合、記憶装置１０３に記憶するスラブの単重に合う余材を採片するように連続鋳造プロセスを調整する。
【００１５】
記憶装置１０３に記憶するスラブの単重について詳述すると、予測装置１０４は、例えば一ヶ月を単位として、注文実績に基づいて、翌月の製品コイルの注文個数を予測することにより、翌月に注文がある可能性の高いスラブの単重を求めて、最適なスラブの単重とする。
例えば材質コード、製品コイルの幅、及び特性値で層別して、次のようにして最適なスラブの単重を求める。図３は、スラブの単重と、予測注文個数との関係の一例を示す。翌月を対象として、図３に示すように、層別に、１トン刻みの重量に対する製品コイルの注文個数を予測し、注文個数が最も多いスラブの単重（図示例では３０トン）を最適なスラブの単重、すなわち翌月に注文がある可能性の高いスラブの単重とする。
【００１６】
ここで、製品コイルの注文個数を予測する予測モデルとして、例えば過去数ヶ月の製品コイルの注文個数の平均値を、翌月の製品コイルの注文個数の予測値とする単純モデルを用いることが考えられる。
また、製品コイルの注文個数を予測する予測モデルとして、例えばランダムフォレストといった機械学習の予測モデルを用いることが考えられる。機械学習の予測モデルを用いることにより、注文のパターンを考慮して、翌月の製品コイルの注文個数を予測することができる。例えばある層の製品コイルの過去４ヶ月の注文個数を考えるとして、一月目から順に０個、６９個、０個、６９個の注文があったとする。この場合、単純モデルでは、翌月（五月目）の製品コイルの注文個数を（６９＋６９）／４≒３４個と予測することになり、必ずしも実情と一致しないことがある。それに対して、機械学習の予測モデルでは、その精度にも依るが、翌月（五月目）の製品コイルの注文を０と予測することができ、スポット注文を見抜くことも可能になる。
【００１７】
記憶装置１０３は、予測装置１０４で求めた層別の最適なスラブの単重を記憶する。この場合に、最適なスラブの単重に許容値（ＭＩＮ値−ＭＡＸ値）を持たせるようにしてもよい。
【００１８】
余材採片用調整部１０２ｂは、余材が発生するか否かを判定する。例えば機内調整部１０２ａによる連続鋳造プロセスの調整によっても特性値が要求特性値を満たさないとき、余材が発生すると判定する。また、注文が要求する溶鋼よりも実際の溶鋼の量が多い、所謂湯余りのとき、余材が発生すると判定する。また、注文が要求する溶鋼よりも実際の溶鋼量が少ない、所謂湯不足のときも、注文の切断長さの許容値を下回り予定の採片ができなくなり、その部分がやはり余材となるため、余材が発生すると判定する。
そして、余材採片用調整部１０２ｂは、余材が発生すると判定した場合、記憶装置１０３に記憶する最適なスラブの単重に合う余材を採片するように連続鋳造プロセスを調整する。具体的には、切断機７による鋼６の切断位置を調整する。
【００１９】
図４を参照して、最適なスラブの単重に合う余材を採片するように切断位置を調整する例を説明する。
例えば余材となる部分４００のうち、特性値が異なる領域間の位置４０１を切断位置とすることが考えられる。この場合、特性値Ｃの余材がｘトン、特性値Ｂの余材がｙトン得られるが、それに見合う注文が近い将来にあるとは限らない。
それに対して、本実施形態では、翌月に注文がある可能性の高いスラブの単重をめがけて切断位置を決定する。記憶装置１０３に、余材となる部分４００に対応する材質コード及び幅、特性値Ｃの層で、最適なスラブの単重ｚトンを記憶しているとする。図４に示すように、余材となる部分４００のうちボトム側（下流側）からトップ側（上流側）をみて位置４０２で切断すれば、当該層のｚトンの余材が得られる場合、位置４０２を切断位置とする。なお、低品質の部位（図４の例では特性値Ｃの部位）にそれよりも品質の高い部位（図４の例では特性値Ｂの部位）が混在するとき、特性値Ｂとして取り扱うことはできないが、特性値Ｃとして取り扱うことはできる。
【００２０】
ここで述べた例では、ボトム側からトップ側をみて切断位置を探す例を述べたが、トップ側からボトム側をみて切断位置を探すようにしてもよい。例えば異鋼種継目があるためにそれよりもトップ側をみて切断位置を探すのが好ましくないような場合、ボトム側をみて切断位置を探すようにする。
【００２１】
また、余材となる部分４００内で切断位置を探すことに限られない。既述したように、各注文の切断長さには許容値が設定されており、余材となる部分４００に隣接する注文部分で、許容値内で切断することにより最適なスラブの単重に合う余材を採片することができるようであれば、注文部分を切断位置としてもよい。
【００２２】
以上のように、連続鋳造プロセスの実行中に、実際に発生する変動を加味して、予測される将来の注文に合わせた余材を採片することができる。
なお、機内調整部１０２ａによる連続鋳造プロセスの調整、及び余材採片用調整部１０２ｂによる連続鋳造プロセスの調整は、図２（Ａ）〜（Ｄ）に示すように、鋳型５から連続的に引抜かれる鋼６が切断機７に到達するまでの間は、適宜な間隔で、機内全体（鋳型５の直下から鋼６の先端位置まで）で再構築されるようにすればよい。そして、図２（Ｅ）に示すように、鋳型５から連続的に引抜かれる鋼６が切断機７に到達した後は、切断毎に（すなわち、切断をトリガーとして）、機内全体で再構築されるようにすればよい。
【００２３】
以上のようにした連続鋳造プロセスの制御装置１００や予測装置１０４は、例えばＣＰＵ、ＲＯＭ、ＲＡＭ等を備えたコンピュータ装置により構成され、ＣＰＵが所定のプログラムを実行することにより、その機能が実現される。例えばプロコンと呼ばれるプロセスコンピュータが連続鋳造プロセスの制御装置１００として機能するようにしてもよい。なお、本実施形態では、予測装置１０４を連続鋳造プロセスの制御装置１００と別の装置として説明したが、一台の装置として構成されるようにしてもよい。
【００２４】
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
例えば上記実施形態では、記憶装置１０３に記憶する余材情報として、余材の重量であるスラブの単重を説明したが、例えば余材のサイズ（スラブの長さ、幅、厚さ等）としてもよい。
本発明は、本発明の画像生成機能を実現するソフトウェア（プログラム）を、ネットワーク又は各種記憶媒体を介してシステム或いは装置に供給し、そのシステム或いは装置のコンピュータがプログラムを読み出して実行することによっても実現可能である。
【符号の説明】
【００２５】
１００：連続鋳造プロセスの制御装置
１０１：特性値付与部
１０２：制御部
１０２ａ：機内調整部
１０２ｂ：余材採片用調整部
１０３：記憶装置
１０４：予測装置
【図１】
2020131197.tif 000003
【図２】
2020131197.tif 000004
【図３】
2020131197.tif 000005
【図４】
2020131197.tif 000006